(57)【要約】【課題】  所定の性能を備える媒体の性能を妨げずに、多様なデザインに柔軟に対応しつつ、より低コストで製造することができる媒体の容器を提供する。【解決手段】  本発明は、ステッカーに関する。そして、本発明のステッカーは、シート状の材料が立体的に成型された立体カバー部と、立体カバー部を支持する基台部とを備え、前記立体カバー部の内部に形成された収容部に、当該ステッカーが設置された空間内の抗菌性能及び又は消臭性能を備える微生物が担持された微生物担体を含む内包物が収容されており、前記基台部の底面に、粘着層が設けられていることを特徴とする。【選択図】      図１
2018005051.tif 000002
【特許請求の範囲】
【請求項１】
ステッカーにおいて、
シート状の材料が立体的に成型された立体カバー部と、
前記立体カバー部を支持する基台部とを備え、
前記立体カバー部の内部に形成された収容部に、当該ステッカーが設置された空間内の抗菌性能及び又は消臭性能を備える微生物が担持された微生物担体を含む内包物が収容されており、
前記基台部の底面に、粘着層が設けられている
ことを特徴とするステッカー。
【請求項２】
前記立体カバー部には、立体的に成型された凸部と、前記凸部の輪郭に沿って外縁部が形成されており、
前記収容部は前記凸部の内部に設けられており、
前記外縁部の底面が、前記基台部に固定されている
ことを特徴とする請求項１に記載のステッカー。
【請求項３】
前記基台部の上面には、前記外縁部と接着するための第１の接着層が形成されており、
前記収容部内の収要物と前記第１の接着層との間を分離するセパレーターが設けられている
ことを特徴とする請求項２に記載のステッカー。
【請求項４】
前記基台部の底面は、第１の基台層に前記粘着層が形成された構成となっていることを特徴とする請求項３に記載のステッカー。
【請求項５】
ステッカーにおいて、
シート状の材料が立体的に成型された立体カバー部と、
前記立体カバー部を支持する基台部とを備え、
前記立体カバー部の内部に形成された収容部に、当該ステッカーが設置された空間内の、抗菌性能、消臭性能、又は芳香性能のうち少なくとも１つの性能を備える内包物が収容されており、
前記基台部の底面に、粘着層が設けられている
ことを特徴とするステッカー。
【発明の詳細な説明】
【技術分野】
【０００１】
この発明は、ステッカーに関し、例えば、浴室内に張りつけることで、浴室内の空間内に存在する菌類の発育抑制や臭い成分の分解が可能となるステッカーに適用し得る。
【背景技術】
【０００２】
従来、抗菌物質を抗菌性能及び消臭性能（抗菌機能及び消臭機能）を備える微生物として非特許文献１に記載された微生物が存在する。
【０００３】
非特許文献１には、Ｂａｃｉｌｌｕｓ属に属する特定のグラム陽性有芽胞桿菌（独立行政法人  産業技術総合研究所  特許生物寄託センターに寄託して平成２７年２月１３日に受領された受領番号ＮＩＴＥ  ＡＰ−０２００７を有する新規微生物。いわゆる「ＴＭ−Ｎ５株」）に抗菌能力及び消臭能力が備わっていることが記載されている。
【０００４】
非特許文献１には、ＴＭ−Ｎ５株から発生する揮発性の抗菌性物質により、直接接触状態にある菌（例えば、家屋内に存在するカビ等の菌類）だけでなく、非接触状態で空間内の菌の発育を抑制したり、空間内の消臭を行うことが可能である旨が記載されている。
【先行技術文献】
【非特許文献】
【０００５】
【非特許文献１】有限会社Ｔ．Ｍエンタープライズ，「快適な明日を作り出す「ＴＭ-Ｎ５」株」，[Online]，INTERNET，[２０１６年６月２９日検索]，<URL:http://tmenterprise.ec-net.jp/tmn5/index.html>
【発明の概要】
【発明が解決しようとする課題】
【０００６】
また非特許文献１には、このＴＭ−Ｎ５を消臭剤や抗菌剤として用いる際には、微生物を担持可能な紛体（微生物担体）を用いることが記載されている。ＴＭ−Ｎ５を担持させる微生物担体としては、例えば、多孔質ガラス、セラミックス、金属酸化物、活性炭、カオリナイト、ベントナイト、ゼオライト、シリカゲル、アルミナ、アンスラサイト、パーライト等の粒子状担体、デンプン、寒天、キチン、キトサン、ポリビニルアルコール、アルギン酸、ポリアクリルアミド、カラギーナン、アガロース、ゼラチン等のゲル状担体、イオン交換樹性セルロース、イオン交換樹脂、セルロース誘導体、グルタルアルデヒド、ポリアクリル酸、ウレタンポリマー等を用いることができる。また、天然、もしくは合成の高分子化合物も有効であり、セルロースを主成分とする綿、麻、パルプ材より作られる紙類もしくは天然物を変性した高分子アセテート等も、微生物担体として用いることができる。
【０００７】
非特許文献１では、上述のような微生物担体にＴＭ−Ｎ５株を担持させた紛体を、消臭剤や抗菌剤とすることが可能である旨が記載されている。
【０００８】
ところで、消臭剤や抗菌剤の設置場所としては、住宅内でカビが発生しやすい浴室内や、下駄箱内等が挙げられる。通常、住宅用の消臭剤や抗菌剤は、何等かの容器にいれて流通・使用される。ＴＭ−Ｎ５株を担持させた紛体（微生物担体）を収容する容器としては、ＴＭ−Ｎ５株の呼吸や抗菌性物質の放出を妨げないように、多孔質の材料又は構造で作られた容器である必要がある。
【０００９】
また、通常、消臭剤や抗菌剤はデザイン性よりも機能性やコストが重視されるため、容器については簡素なデザイン（例えば、単色の四角形や円形の容器）である場合が多かった。しかしながら、現在では、消臭剤や抗菌剤等の機能を備えた商品でも、購買意欲の促進等のため、付加価値として、住宅内のインテリアとしても機能することが求められる場合がある。しかしながら、住宅内のインテリアに対するニーズは多岐にわたるため、上述の紛体の容器に高いインテリア性を持たせるためには、多種多様な形状や色彩に柔軟に対応しつつ、消臭性能や抗菌性能を妨げない構成とする必要がある。
【００１０】
さらに、微生物を用いた消臭剤・抗菌剤には寿命が存在し、定期的に交換を必要とする消費材であるため、ランニングコストも重要な商品価値となる。したがって、上述の紛体の容器には、消臭機能・抗菌機能の性能を妨げずに多種多様な形状や色彩に柔軟に対応しつつ、より低コストであるという非常に厳しい要件が課せられる場合がある。
【００１１】
以上のような問題に鑑みて、所定の性能（例えば、消臭性能や抗菌性能等）を備える媒体（例えば、微生物を担持させた紛体）の性能を妨げずに、多様なデザイン（例えば、多種多様な形状や色彩）に柔軟に対応しつつ、より低コストで製造することができる媒体の容器が望まれている。
【課題を解決するための手段】
【００１２】
第１の本発明は、ステッカーにおいて、（１）シート状の材料が立体的に成型された立体カバー部と、（２）前記立体カバー部を支持する基台部とを備え、（３）前記立体カバー部の内部に形成された収容部に、当該ステッカーが設置された空間内の抗菌性能及び又は消臭性能を備える微生物が担持された微生物担体を含む内包物が収容されており、（４）前記基台部の底面に、粘着層が設けられていることを特徴とする。
【００１３】
第２の本発明は、ステッカーにおいて、（１）シート状の材料が立体的に成型された立体カバー部と、（２）前記立体カバー部を支持する基台部とを備え、（３）前記立体カバー部の内部に形成された収容部に、当該ステッカーが設置された空間内の、抗菌性能、消臭性能、又は芳香性能のうち少なくとも１つの性能を備える内包物が収容されており、（４）前記基台部の底面に、粘着層が設けられていることを特徴とする。
【発明の効果】
【００１４】
本発明によれば、所定の性能を備える媒体の性能を妨げずに、多様なデザインに柔軟に対応しつつ、より低コストで製造することができる媒体の容器を提供することができる。
【図面の簡単な説明】
【００１５】
【図１】第１の実施形態に係るステッカーの断面図（図２のＡ−Ａ線矢視断面図）である。
【図２】第１の実施形態に係るステッカーの平面図である。
【図３】第１の実施形態に係るステッカーの断面において基台部の各層を分離して示した図である。
【図４】第１の実施形態に係るステッカーを台紙に貼り付けた状態で示す断面図である。
【図５】第１の実施形態に係るステッカーの立体カバー部の立体的形状（凸部の立体的形状及び凸部輪郭）を変更した場合の平面図である。
【図６】第２の実施形態に係るステッカーの平面図である。
【図７】第２の実施形態に係るステッカーの断面（図６のＢ−Ｂ線矢視断面）において基台部の各層を分離して示した図である。
【図８】第１の実施形態に変形例係るステッカーの断面図である。
【発明を実施するための形態】
【００１６】
（Ａ）第１の実施形態
以下、本発明による微生物担体の容器、及びステッカーの第１の実施形態を、図面を参照しながら詳述する。
【００１７】
（Ａ−１）第１の実施形態の構成及び動作
図２は、第１の実施形態のステッカー１０の平面図である。図１は、ステッカー１０のＡ−Ａ線矢視断面図である。
【００１８】
ステッカー１０は、所定の性能（例えば、抗菌性能や消臭性能）を発揮する微生物を担持した微生物担体Ｃを含む内包物が内包されたステッカーである。この実施形態では、抗菌性能及び消臭性能を備える揮発物質を放出する菌が微生物担体Ｃに担持されているものとする。微生物担体Ｃに担持させる微生物としては、例えば、非特許文献１に記載されたＴＭ−Ｎ５株当の微生物が挙げられる。すなわち、ステッカー１０は、浴室内等の空間の壁面に張り付けることで、当該空間内のカビや異臭の発生を抑制する機能に対応している。
【００１９】
図１、図２に示すように、ステッカー１０は、シート状の材料が立体的に成形された立体カバー部１１を備え、と、立体カバー部１１の内側の空間である収容部１１１ａに、所定の性能（例えば、抗菌性能や消臭性能）を発揮する微生物を担持した微生物担体Ｃ（媒体）を含む内包物が内包されている。
【００２０】
この実施形態では、抗菌性及び消臭性を備える揮発物質を放出する菌（微生物）が微生物担体Ｃに担持されているものとする。この実施形態の例では、微生物担体Ｃに担持させる微生物として、非特許文献１に記載されたＴＭ−Ｎ５株を適用しているものとする。
【００２１】
微生物担体Ｃの材質については、種々の材料を適用することができるが、微生物担体Ｃとして、微生物を担持させてから乾燥した粉体を用いることが望ましい。これにより、微生物の性能を保った状態でステッカー１０の保存や運搬する上で利便性が高くなる。また、微生物担体Ｃを粉体とすることで、収容部１１１ａに容易に入れることができる。また、微生物担体Ｃを粉体とし、収容部１１１ａに詰めこむことで、粉体（微生物担体Ｃ）が、立体カバー部１１の形状の保持に寄与する。上述のような微生物担体Ｃの利用状況に鑑み、微生物担体Ｃの材料としては、例えば、活性炭、ゼオライト、パーライト（無機パーライト）等の粒子状担体（多孔質な粒子状の担体）が好適に用いられる。
【００２２】
なお、立体カバー部１１に内包する内包物は１００％微生物担体Ｃである必要はなく、その他の材料も含むようにしてもよい。微生物担体Ｃ以外の内包物の材料としては、例えば、微生物担体Ｃと同様の粉体（微生物が担持されていない粉体）や、その他の機能を備える材料（例えば、所定の香料を含有する芳香剤や、消臭性能を備える消臭剤等）を適用するようにしてもよい。これにより、ステッカー１０に複合的な機能（性能）を持たせること（例えば、抗菌・消臭機能に加えて芳香機能等を持たせること）が可能となる。
【００２３】
立体カバー部１１の収容部１１１ａには開口部１１１ｃが設けられている。ステッカー１０では、立体カバー部１１の開口部１１１ｃを覆い、立体カバー部１１を支持する基台部３０が設けられている。
【００２４】
以下では説明の都合上、基台部３０から立体カバー部１１への方向を上方向と呼び、立体カバー部１１から基台部３０への方向を下方向と呼ぶものとする。また、以下では、基台部３０及び立体カバー部１１において、上方向の側の面を上面と呼び、下方向の側の面を底面（又は下面）と呼ぶものとする。また、以下では、各断面図において、各層の層厚を図示しやすい厚さとしているが、実際の各層の層圧は、各断面図に示した各層の層厚に限定されるものではなく、各層の機能に応じた適切な厚さが適用される。
【００２５】
基台部３０の底面には、後述する粘着層が設けられており、この粘着層の粘着力によりステッカー１０を壁面等（例えば、浴室内の壁面）に貼り付け可能となっている。
【００２６】
また、ステッカー１０には、立体カバー部１１と基台部３０との間に、収容部１１１ａと基台部３０の上面の間を仕切る（分離する）ためのセパレーター２０が設けられている。
【００２７】
次に、立体カバー部１１の構成について説明する。
【００２８】
立体カバー部１１は、微生物担体Ｃに担持された微生物の呼吸や微生物から放出される揮発性物質の通過を妨げないように多孔質な材料で構成されている必要がある。この実施形態では、立体カバー部１１は、不織布により構成されているものとして説明する。なお、立体カバー部１１としては、例えば、多孔質な樹脂製のフィルム等を材料とするようにしてもよい。
【００２９】
立体カバー部１１には、所定の立体的形状に成型された凸部１１１が設けられている。凸部１１１の断面の形状や、底面の凸部輪郭１１１ｂの形状については限定されないものであり、任意の立体的形状（デザイン）とすることができる。図１に示すように、この実施形態の例では、凸部１１１は、半楕円球形となっている。
【００３０】
そして、凸部１１１の内側には、微生物担体Ｃを含む内包物を収容（内包）するための収容部１１１ａが設けられている。
【００３１】
凸部輪郭１１１ｂの周囲(外縁)には、外縁部１１２が設けられている。立体カバー部１１は、外縁部１１２の下面と基台部３０とを固定（固着）する固定部（固着部）として機能している。
【００３２】
外縁部１１２の輪郭である外縁部輪郭１１２ａの形状は、限定されないものであり、例えば、図２のように凸部輪郭１１１ｂの相似形としてもよい。ただし、上述の通り、外縁部１１２は、立体カバー部１１と基台部３０とを固定する接点（固定部）であるため、外縁部１１２の形状は、凸部輪郭１１１ｂに沿ってある程度の幅（基台部３０との固定に支障のない幅）を確保することが望ましい。
【００３３】
次に、基台部３０の構成について説明する。
【００３４】
図３は、図１の断面図において、基台部３０の各層を分離して図示した説明図である。図３では、基台部３０の各層を分離して図示（各層の間に隙間を設けて図示）しているが、実際には各層は直接積層された構造となっている。
【００３５】
図３に示すように基台部３０は、複数の層により構成されている。
【００３６】
図３に示す基台部３０は、下方向（底面）から順に、再剥離粘着層３１、第１の基台層３２、第２の接着剤層３３、第２の基台層３４、及び第１の接着材層３５が積層されている。
【００３７】
第１の接着材層３５は、基台部３０を立体カバー部１１の底面（外縁部１１２の底面）に固定させるための接着剤（強粘着剤）として機能する層である。
【００３８】
第２の基台層３４は、立体カバー部１１（収容部１１１ａ）の開口部１１１ｃを覆う底蓋の機能を担っている。したがって、第２の基台層３４の材料は、立体カバー部１１と同じく不織布で構成されていることが望ましい。
【００３９】
第２の接着剤層３３は、第２の基台層３４とその下の第１の基台層３２とを接着するための接着剤（強粘着剤）として機能する層である。
【００４０】
ステッカー１０では、第１の接着材層３５、第２の基台層３４、及び第２の接着剤層３３が一体的に形成された不織布基材（例えば、第２の基台層３４の両面に接着剤層が形成された不織布基材）を用いることができる。上述の不織布基材は、例えば、１．５ｍｍ程度の層厚としてもよい。また、上述の不織布基材としては、例えば、リンテック（登録商標）社製の不織布基材（例えば、ＴＬ−２５０Ｓ）を適用することができる。
【００４１】
第１の基台層３２は、第２の基台層３４を通して収容部１１１ａの内部が透け難くする等の機能を担っている。また、第１の基台層３２は、基台部３０にコシ（剛性）を持たせてステッカー１０全体の形状の歪みや捻じれ等を防ぐ機能や、再剥離粘着層３１を担持させやすくする機能等も担っている。不織布（第２の基台層３４）に直接再剥離粘着層３１を担持させることも不可能ではないが、不織布の場合直接再剥離粘着層３１が浸潤してしまうため、耐水性の紙や樹脂の方が、直接再剥離粘着層３１を担持させる方が加工や耐久性（再剥離のしやすさ等）が向上することになる。そのため、第１の基台層３２としては、表面が滑らかで、耐水性とあるていどのコシ（剛性）を備える材料であることが望ましい。第１の基台層３２としては、例えば、いわゆるユポ紙（例えば、ユポ紙８０ｇｍ２）を用いることができる。
【００４２】
そして、第１の基台層３２の底面には、再剥離粘着層３１が設けられている。再剥離粘着層３１は、例えば、浴室内等の壁面にステッカー１０を張り付けるための粘着剤（弱粘再剥離粘着剤）として機能している。ステッカー１０の底面に、再剥離可能な粘着剤（弱粘再剥離粘着剤）としての再剥離粘着層３１を設けることで、ステッカー１０を交換する際や、ステッカー１０の位置を調整することを容易とすることができる。
【００４３】
ステッカー１０では、第１の基台層３２と再剥離粘着層３１とを備えた材料（例えば、片面弱粘再剥離のシール）を用いることができる。具体的には、ステッカー１０では、第１の基台層３２と再剥離粘着層３１とを備えた材料として、例えば、株式会社リンテック社製の「ユポ８０  ＭＦ  ８ＬＫ」を用いることができる。
【００４４】
図１〜図３に示すように、基台部３０の各層の輪郭は全て同じ形状となっている。また、図１〜図３では、基台部３０の各層の輪郭は立体カバー部１１の外縁部輪郭１１２ａと同じ形状となっているが、基台部３０の各層の輪郭は、セパレーター２０と共に外縁部１１２の範囲内で接着可能な形状であれば、外縁部輪郭１１２ａよりも狭い領域の形状としてもよい。
【００４５】
次に、セパレーター２０の構成について説明する。
【００４６】
上述の通り、立体カバー部１１（収容部１１１ａ）の底面は、基台部３０により蓋をされる構成となっているが、基台部３０の上面は第１の接着材層３５となるため、この第１の接着材層３５が直接微生物担体Ｃに触れると、微生物担体Ｃに担持された微生物が第１の接着材層３５に粘着して死滅する場合がある。その場合、収容部１１１ａ内の微生物の数が減少し、ステッカー１０の性能（抗菌性能及び消臭性能）が低下することになる。
【００４７】
そこで、この実施形態のステッカー１０では、立体カバー部１１の収容部１１１ａ（微生物担体Ｃ）と、基台部３０の上面（第１の接着材層３５）との間を分離するためにセパレーター２０を配置している。セパレーター２０の表面は、微生物担体Ｃの微生物に悪影響を与えない素材であることが望ましい。セパレーター２０としては、例えば、立体カバー部１１と同様の不織布や、多孔質のフィルム等を用いることができる。
【００４８】
セパレーター２０の輪郭であるセパレーター輪郭２０ａの形状は、少なくとも凸部輪郭１１１ｂの領域を含み、かつ、外縁部輪郭１１２ａよりも内側の領域となる形状である必要がある。これは、収容部１１１ａ内の微生物担体Ｃを第１の接着材層３５に接触させないようにしつつ、立体カバー部１１の下面（外縁部１１２）と基台部３０の上面（第１の接着材層３５）との接着を妨げない形状とするためである。すなわち、セパレーター輪郭２０ａの形状は、図１〜図３に示すように、凸部輪郭１１１ｂを含む領域（凸部輪郭１１１ｂ以上外縁部輪郭１１２ａ未満の領域の形状）となる必要がある。図１、図２の例では、セパレーター輪郭２０ａの形状は、開口部１１１ｃと相似形の楕円となっている。すなわち、図１〜図３の例では、セパレーター輪郭２０ａの形状は、開口部１１１ｃよりも少しだけ面積の大きい相似形となっている。
【００４９】
以上のような理由により、この実施形態のステッカー１０では、セパレーター２０が配置されている。なお、ステッカー１０では、セパレーター２０を配置することが望ましいが、セパレーター２０を省略した構成とするようにしてもよい。
【００５０】
実際に、ステッカー１０を製造して流通させる際には、図４に示すようにステッカー１０の底面の再剥離粘着層３１を台紙４０に貼り付けた状態とする必要がある。
【００５１】
また、凸部１１１の立体的形状や、凸部輪郭１１１ｂの形状については限定されないものであり、図１〜図３に示すような単純な形状（半楕円球形）でなくてもよい。
【００５２】
図５に示すステッカー１０Ａでは、凸部１１１（凸部輪郭１１１ｂ）が鯨の立体的な形状となっている。図５に示すように、立体カバー部１１及び基台部３０は、不織布や紙を材料として構成されているため、図５のように任意の形状（任意の輪郭及び任意の立体的形状）に加工することは容易である。
【００５３】
（Ａ−２）第１の実施形態の効果
第１の実施形態によれば、以下のような効果を奏することができる。
【００５４】
第１の実施形態のステッカー１０では、立体カバー部１１と基台部３０により構成されている。立体カバー部１１及び基台部３０は、不織布や紙で構成されており、ステッカー１０自体を浴室内の壁面に張りつけることができるため、低コストで製造することができる。例えば、微生物担体Ｃを内包する不織布を樹脂製のケース内にセットする構成と比較すると、微生物担体Ｃ以外は不織布や紙で構成されるステッカー１０の方が安価に製造することができる。
【００５５】
また、第１の実施形態のステッカー１０では、立体カバー部１１及び基台部３０をほぼ不織布や紙で構成しているため、微生物担体Ｃの性能を妨げずに、多様な形状（多用な輪郭及び断面の形状）とすることを容易（加工が容易）かつ安価に実現することができる。特に、第１の実施形態のステッカー１０では、シート状の不織布が立体的に形成された立体カバー部１１に微生物担体Ｃを内包させているため、平面的なデザインだけでなく、立体的なデザインへの対応が容易となっている。また、第１の実施形態のステッカー１０では、シート状の不織布が立体的に形成された立体カバー部１１に微生物担体Ｃを内包させているため、平面的な形状と比較して、より多くの微生物担体Ｃを詰め込むことができるため、より高い性能（抗菌性能及び消臭性能）を発揮させることができる。
【００５６】
（Ｂ）第２の実施形態
以下、本発明による微生物担体の容器、及びステッカーの第２の実施形態を、図面を参照しながら詳述する。
【００５７】
（Ｂ−１）第２の実施形態の構成及び動作
図６は、第２の実施形態のステッカー１０Ｂの平面図である。図７は、ステッカー１０ＢのＢ−Ｂ線矢視断面図である。図６、図７では、上述の図２、図１と同一部分又は対応部分に同一符号又は対応符号を付している。
【００５８】
第１の実施形態のステッカー１０では、立体カバー部１１と基台部３０との間を、第１の接着材層３５を用いて固着していたが、第２の実施形態のステッカー１０Ｂでは、接着剤を用いずに他の手段で固着している。図７に示すように第２の実施形態のステッカー１０Ｂを構成する基台部３０Ａでは、第１の接着材層３５が省略され、第２の基台層３４と立体カバー部１１の底面（外縁部１１２の底面）が直接固着されている。
【００５９】
第２の基台層３４と立体カバー部１１を固着する方法については限定されないものであるが、例えば、外縁部１１２の領域に、熱及び又は圧力を加えて融着（圧着）するようにしてもよい。また、外縁部１１２の領域を縫着（例えば、不織布と同様の素材の糸で縫着）することで、第２の基台層３４と立体カバー部１１を固着するようにしてもよい。第２の基台層３４と立体カバー部１１に不織布を適用している場合、不織布は加熱や加圧により溶ける性質があるため、容易に融着（圧着）処理を行うことができる。
【００６０】
ただし、外縁部１１２の全面にわたって融着させた場合、第２の基台層３４又は立体カバー部１１の伸びや縮みによりシワが発生してしまう恐れがあるため、図６に示すように、外縁部１１２に沿って、点線状に融着部Ｆを形成することが望ましい。図６では、融着部Ｆを構成する各点の領域にハッチ（射線）を付して図示している。融着部Ｆを構成する各点（スポット）の形状は、円形に限定されず、種々の形状（例えば、正方形、長方形、楕円等の種々の形状）を適用することができる。
【００６１】
また、第２の実施形態においては、第１の接着材層３５を省略することができるため、セパレーター２０についても省略するようにしてもよい。
【００６２】
（Ｂ−２）第２の実施形態の効果
第２の実施形態のステッカー１０Ｂでは、第１の接着材層３５やセパレーター２０を省略することができるため、第１の実施形態と比較して、より少ない材料で製造（より低コストで製造）することができる。また、第２の実施形態のステッカー１０Ｂでは、第２の基台層３４と立体カバー部１１を融着により一体化させるため、より強力に第２の基台層３４と立体カバー部１１とを固着することができる。さらに、第２の実施形態のステッカー１０Ｂでは、第１の接着材層３５が無いため、立体カバー部１１を基台部３０に張りつける際に、位置合わせ（位置決め）をしてから固着する処理（融着する処理）ができる。すなわち、第２の実施形態のステッカー１０Ｂでは、立体カバー部１１を基台部３０に張りつける際の位置合わせ（位置決め）が容易となる。
【００６３】
（Ｃ）他の実施形態
本発明は、上記の各実施形態に限定されるものではなく、以下に例示するような変形実施形態も挙げることができる。
【００６４】
（Ｃ−１）上記の各実施形態では、立体カバー部１１の材料に不織布を適用する例について説明したが、適用する立体カバー部１１自体の防水性能（撥水性能）が十分でない場合は、立体カバー部１１の表面（不織布の表面）に防水加工を施すようにしてもよい。例えば、フッ素樹脂等の疎水性の高い成分を含む塗料（コーティング材料）を、立体カバー部１１（不織布）の表面に塗布（例えば、スプレー等により吹き付けて塗布）するようにしてもよい。
【００６５】
（Ｃ−２）上記の各実施形態では、例としてステッカー１０に内包する微生物担体Ｃに担持させる微生物はＴＭ−Ｎ５であるものとして説明したが、設置された空間内の抗菌及び又は消臭可能なその他の微生物に置き換えるようにしてもよい。例えば、「独立行政法人  製品評価技術基盤機構  特許生物寄託センターに寄託して平成２７年１０月２日に受領された受領番号ＮＩＴＥ  ＡＰ−０２１２７を有する新規微生物」（いわゆる、「ＴＭ−Ｉ−３株」）に置き換えるようにしてもよい。
【００６６】
（Ｃ−３）上記の各実施形態では、ステッカー１０、１０Ａの内包物に微生物が担持された微生物担体Ｃを含むものとして説明したが、微生物担体Ｃを含まない構成としてもよい。
【００６７】
例えば、図８に示すように、微生物担体Ｃに替えて、所定の香料を含有する芳香剤Ｄを適用するようにしてもよい。芳香剤Ｄに適用する材料は、所定の香料を含み、その香料の成分を揮発させ、周囲に拡散することができる材料であれば、限定されないものである。芳香剤Ｄとしては、所定の香料を含有する粉状又は、粒状（ビーズ状）の材料を適用するようにしてもよい。具体的には、例えば、芳香剤Ｄとして、高分子吸水ポリマー樹脂に香料の成分を含浸（含有）させたものを適用するようにしてもよい。香料の成分については限定されないものであり、例えば、いわゆるアロマオイルや科学的に合成された種々の香料等を適用することができる。
【００６８】
また、本発明のステッカーにおいて、内包物として消臭性能を備える消臭素材を適用するようにしてもよい。以上のように、本発明のステッカーに内容する内包物は、抗菌性能、消臭性能、又は芳香性能のうち少なくとも１つの性能を備える物であれば良い。
【００６９】
（Ｃ−４）上記の各実施形態のステッカー１０（１０Ａ、１０Ｂ）を構成する立体カバー部１１にカビが繁殖し難くする加工（防カビ加工／抗菌加工）を施すようにしてもよい。
【００７０】
ステッカー１０（１０Ａ、１０Ｂ）は、主として浴室内に設置されるたが、浴室内でユーザが体を洗う際には、当該ユーザの皮脂や洗体に使用される泡等の飛散物が飛散し、ステッカー１０（１０Ａ、１０Ｂ）に付着する場合がある。また、ステッカー１０（１０Ａ、１０Ｂ）が設置された浴室で清掃作業が行われる場合にも、浴室内に既に発生しているカビ等が飛散して、ステッカー１０（１０Ａ、１０Ｂ）に付着する場合がある。
【００７１】
ステッカー１０（１０Ａ、１０Ｂ）に内包される微生物担体Ｃに防カビ機能／抗菌機能が備わっていたとしても、カビ自体やカビの繁殖力が高い飛散物（例えば、人間の皮脂等）が付着した場合、微生物担体Ｃの防カビ性能／抗菌性能だけでは、その付着物自体に発生するカビの繁殖を抑えきれない場合がある。
【００７２】
そのため、ステッカー１０（１０Ａ、１０Ｂ）に内包される微生物担体Ｃに防カビ機能／抗菌機能が備わっていたとしても、立体カバー部１１にカビが繁殖し難くする加工（防カビ加工／抗菌加工）ことは、非常に有用である。
【００７３】
立体カバー部１１にカビが繁殖し難くする加工（防カビ加工／抗菌加工）の方式については限定されないものである。例えば、立体カバー部１１に種々の防カビ剤／抗菌剤（例えば、科学的な防カビ剤／抗菌剤や、天然成分の防カビ剤／抗菌剤としてもよい）を浸潤させたり、種々の防カビ剤／抗菌剤を含有する材料で立体カバー部１１を構成するようにしてもよい。
【符号の説明】
【００７４】
１０…ステッカー、１１…立体カバー部、２０…セパレーター、２０ａ…セパレーター輪郭、３０…基台部、３１…再剥離粘着層、３２…第１の基台層、３３…第２の接着剤層、３４…第２の基台層、３５…第１の接着材層、４０…台紙、１１１…凸部、１１１ａ…収容部、１１１ｂ…凸部輪郭、１１１ｃ…開口部、１１２…外縁部、１１２ａ…外縁部輪郭、Ｃ…微生物担体。
【図１】
2018005051.tif 000003
【図２】
2018005051.tif 000004
【図３】
2018005051.tif 000005
【図４】
2018005051.tif 000006
【図５】
2018005051.tif 000007
【図６】
2018005051.tif 000008
【図７】
2018005051.tif 000009
【図８】
2018005051.tif 000010